(57)【特許請求の範囲】
【請求項１】
水入口およびこの水入口に連通する水出口を有する球状体と、この球状体を回動させるための回動手段と、前記球状体を回動可能に保持するための環状部材とを有する水栓の止水構造であって、前記環状部材が、大径部と、先端側が滑らかな曲面に形成され、かつその曲面が前記球状体に当接可能な小径部とからなるとともに、前記環状部材の変形を防止するための変形防止手段が、環状部材の内側および大径部の外側に設けられ、また、前記水入口を水の上流側に向けて開口させず、上流側からの水が球状体の側面に回り込んで水入口に流入するように構成し、前記環状部材が、水圧により、外側から内側に向かって付勢されるように構成したことを特徴とする水栓の止水構造。
【請求項２】
前記変形防止手段が、前記大径部および小径部の内側面と、大径部の外側面とに当接し、小径部の前記曲面には当接しないように構成してある請求項１に記載の水栓の止水構造。
【請求項３】
前記環状部材を二つ設け、前記球状体を両側から回動可能に保持するように構成してある請求項１または２に記載の水栓の止水構造。
【発明の詳細な説明】
【０００１】
【発明の属する技術分野】
本発明は、水栓の止水構造に関する。
【０００２】
【従来の技術】
従来の止水構造の一つに、図７（Ａ）に示すように、流路１８中に設けられた球状体８’と、この球状体８’を回動させるための回動手段９と、前記球状体８’を回動可能に保持するための環状部材１０’、１０’とからなるものがある。すなわち、前記球状体８’は、互いに連通する水入口６’および水出口７’を有しており、回動手段９によって球状体８’を回動させることで、上流側から流れてきた水を、下流側へ流したり、止水したりすることができる。
【０００３】
ところで、テフロンなどの比較的硬い材質からなる前記環状部材１０’は、図７（Ｂ）に示すように、凹入部１９を有しており、この凹入部１９に、前記球状体８’の一部を嵌め込むことで、球状体８’を回動可能に保持していた。
【０００４】
【発明が解決しようとする課題】
上記構成からなる止水構造は、前記回動手段９を９０°回動させるだけで、止水、吐水の切り換え操作ができるため、使用性に優れていたが、環状部材１０’と球状体８’との摩擦が大きいことから、頻繁に止水、吐水の切り換え操作を行う必要のある一般の水栓に用いると、環状部材１０’や球状体８’の磨耗の進行が早く、耐久性に劣るという問題があった。
【０００５】
本発明は上述の事柄に留意してなされたもので、その目的は、汎用性および耐久性が高く、使用性に優れた水栓の止水構造を提供することである。
【０００６】
【課題を解決するための手段】
上記目的を達成するために、本発明の水栓の止水構造は、水入口およびこの水入口に連通する水出口を有する球状体と、この球状体を回動させるための回動手段と、前記球状体を回動可能に保持するための環状部材とを有する水栓の止水構造であって、前記環状部材が、大径部と、先端側が滑らかな曲面に形成され、かつその曲面が前記球状体に当接可能な小径部とからなるとともに、前記環状部材の変形を防止するための変形防止手段が、環状部材の内側および大径部の外側に設けられ、また、前記水入口を水の上流側に向けて開口させず、上流側からの水が球状体の側面に回り込んで水入口に流入するように構成し、前記環状部材が、水圧により、外側から内側に向かって付勢されるように構成した。
また、前記水栓の止水構造において、前記変形防止手段が、前記大径部および小径部の内側面と、大径部の外側面とに当接し、小径部の前記曲面には当接しないように構成してあることが好ましい。
さらに、前記水栓の止水構造において、前記環状部材を二つ設け、前記球状体を両側から回動可能に保持するように構成してあってもよい。
【０００７】
上記の構成により、汎用性および耐久性が高く、使用性に優れた水栓の止水構造を提供することができる。
【０００８】
【発明の実施の形態】
以下、本発明の実施例を、図を参照しながら説明する。
図１は、本発明の第一実施例に係る水栓の止水構造Ｄの構成を概略的に示す縦断面図である。
１は、壁（図示せず）に取り付けねじ２を介して取り付けられた水栓本体（たとえば単水栓や湯水混合栓）であり、先端に吐出部３を有している。そして、前記水栓の止水構造Ｄは、前記水栓本体１の内部に設けられ、前記吐出部３の上流側に位置している。
【０００９】
前記吐出部３は、上流側に流入口４を、そして、下流側に吐出口５を有している。
【００１０】
図２は、上記実施例の構成を概略的に示す側方から見た場合の拡大縦断面図である。
前記水栓の止水構造Ｄは、水入口６およびこの水入口６に連通し、かつ水入口６の設けられた位置と直角をなす角度に設けられた水出口７を有する球状体８と、球状体８の前記水入口６の反対側に相当する位置に接続され、球状体８を回動させるための回動手段９（図４参照）と、前記球状体８をその両側から回動可能に保持するための二つの環状部材１０、１０とからなる。
【００１１】
図３は、上記実施例の構成を概略的に示す要部拡大斜視図である。
球状体８の一側には前記回動手段９が接続される接続部９’が設けられ、他側には前記水入口６が設けられており、さらに、前記接続部９’および水入口６に対して９０°の角度をなす位置に、前記水出口７が設けられている。
【００１２】
図４（Ａ）は、上記実施例の構成を概略的に示す正面から見た場合の縦断面図である。  前記回動手段９は、一端が球状体８に接続された栓棒１１と、この栓棒１１の他端部に固定されたレバー１２とから構成されている。そして、レバー１２を回動させることで、球状体８を同時に回動させることができる。なお、前記レバー１２を、ハンドルなどとしてもよい。
【００１３】
前記回動手段９により、水栓本体１を止水状態とした場合には、図４（Ｂ）に示すように、水出口７は前記流入口４がある方向と直角をなす方向に向けられ、反対に、回動手段９により、水栓本体１を吐水状態とした場合には、図４（Ｃ）に示すように、水出口７は前記流入口４がある方向に向けられる。
【００１４】
前記環状部材１０、１０は、合成ゴムあるいは合成樹脂などの適宜の弾力性を有する材料で形成され、図２に示すように、一方が前記流入口４の上流側に設けられ、他方がこの流入口４と対向する位置に設けられている。そして、各環状部材１０は、外面がほぼ面一の大径部１３と、外面が先端側ほど細くなる滑らかな曲面に形成され、かつ前記球状体８に当接可能な小径部１４とからなる。このような二つの環状部材１０、１０の各小径部１４の先端付近が前記球状体８に当接することによって、球状体８は、回動可能に保持される。加えて、球状体８に接触する小径部１４の外面を、滑らかな曲面に形成したことにより、球状体８の作動を円滑に行うことができる。
【００１５】
各環状部材１０の内側および大径部１３の外側には、それぞれ環状部材１０の変形を防止するための変形防止手段１５が設けられており、この変形防止手段１５によって、水圧による環状部材１０の変形（特に、内側への倒れ込み）を防止し、かつ環状部材１０に適度の張りを持たせることができる。そして、このような変形防止や張りを持たせたことにより、小径部１４による球状体８の保持を、適宜の強度で行わせることができる。
【００１６】
次に、水栓の止水構造Ｄの使用条件について説明する。
水栓の止水構造Ｄは、環状部材１０、１０が、水圧Ｗにより、外側から内側に向かって付勢された状態で使用されるように構成されている。このため、内側に付勢される小径部１４を、球状体８に常に強く当接させることができ、球状体８への密着によって、止水時の漏水を防止することができる。さらに、環状部材１０の小径部１４には、内側方向へ付勢する圧力が加わることから、摩擦によって小径部１４と球状体８の当接部分が少々磨耗しても、小径部１４を球状体８に密着させておくことが可能である。従って、環状部材１０の取り替えなどのメンテナンスを行う回数を減らすことができるとともに、水栓の止水構造Ｄ自体の汎用性および耐久性を高くすることができる。なお、上記のことを考慮して、前記小径部１４の長さに若干の余裕を持たせておくことが望ましい。また、前記環状部材１０、１０の強度等を調節することで、たとえば前記水圧Ｗが小さい場合にも、環状部材１０、１０が球状体８に常に強く当接しておけるように構成してもよい。
【００１７】
上記の構成からなる水栓の止水構造Ｄでは、前記レバー１２を９０°の範囲で回動させるだけで、球状体８も同じく９０°の範囲で回動され、吐出部３からの吐水量を、ゼロから最大値にまで操作することができるため、非常に使用性に優れたものとなっている。
【００１８】
図５は、本考案の第二実施例に係る水栓の止水構造Ｄ2 の構成を概略的に示す説明図である。なお、上記第一実施例と構造が同じものについては、同じ符号を付し、その説明を省略する。
第二実施例は、第一実施例の構成とほとんど同じであるが、相違点は、水栓本体の止水、吐水を切り換えるために用いられるのではなく、水栓本体を、止水状態、カラン（図示せず）からの吐水状態、シャワーヘッド（図示せず）からの吐水状態の三状態に切り換えるための一次止水切替ユニットとして用いられ、また、回動手段９による球状体８の回動が、９０°の範囲で行われるのでなく、１８０°の範囲で行われ、さらに、前記水出口７から水栓本体（図示せず）の外部に吐出されるまでの水のルートが、水出口７、導入口４、吐出口５の一通りでなく、二通り用意されている点である。
【００１９】
水栓本体には、導出部１６と、導出部１７が、互いに対向する位置関係に設けられている。そして、回動手段９により、水出口７を導出部１６の方へ向けると（図５（Ｂ）参照）、水をカランから吐出させることができ、水出口７を導出部１６、１７のそれぞれに対して直角に向けると（図５（Ｃ）参照）、水栓本体が止水状態となり、水出口７を導出部１７の方へ向けると（図５（Ｄ）参照）、水をシャワーから吐出させることができる。
【００２０】
図６は、本考案の第三実施例に係る水栓の止水構造Ｄ3 の構成を概略的に示す縦断面図である。なお、上記第一実施例と構造が同じものについては、同じ符号を付し、その説明を省略する。
第三実施例は、上記第一実施例の構成とほとんど同じであるが、相違点は、水栓の止水構造Ｄ3 が、水栓本体１に内蔵されているのではなく、水栓本体１の先端部に着脱自在であるカートリッジとして形成されている点である。また、それに伴って、前記吐出部３も、着脱自在に形成されている。
【００２１】
【発明の効果】
以上説明したように、本考案の水栓の止水構造は、水入口およびこの水入口に連通する水出口を有する球状体と、この球状体を回動させるための回動手段と、前記球状体を回動可能に保持するための環状部材とを有する水栓の止水構造であって、前記環状部材が、大径部と、先端側が滑らかな曲面に形成され、かつその曲面が前記球状体に当接可能な小径部とからなるとともに、前記環状部材の変形を防止するための変形防止手段が、環状部材の内側および大径部の外側に設けられ、また、前記水入口を水の上流側に向けて開口させず、上流側からの水が球状体の側面に回り込んで水入口に流入するように構成し、前記環状部材が、水圧により、外側から内側に向かって付勢されるように構成したことにより、汎用性および耐久性が高く、使用性に優れた水栓の止水構造を提供することができる。
【図面の簡単な説明】
【図１】  本発明の第一実施例に係る水栓の止水構造の構成を概略的に示す縦断面図である。
【図２】  上記実施例の構成を概略的に示す側方から見た場合の拡大縦断面図である。
【図３】  上記実施例の構成を概略的に示す要部拡大斜視図である。
【図４】  （Ａ）は、上記実施例の構成を概略的に示す正面から見た場合の縦断面図であり、（Ｂ）および（Ｃ）は、上記実施例の止水時の状態および吐水時の状態を概略的に示す側面からの縦断面図である。
【図５】  （Ａ）は、本考案の第二実施例に係る水栓の止水構造の構成を概略的に示す正面からの縦断面図であり、（Ｂ）、（Ｃ）および（Ｄ）は、それぞれ、上記実施例の動作を概略的に示す説明図である。
【図６】  本考案の第三実施例に係る水栓の止水構造の構成を概略的に示す縦断面図である。
【図７】  （Ａ）は、従来の水栓の止水構造の構成を概略的に示す縦断面図であり、（Ｂ）は、その要部の構成を概略的に示す斜視図である。
【符号の説明】
６…水入口、７…水出口、８…球状体、９…回動手段、１０…環状部材、１３…大径部、１４…小径部、１５…変形防止手段、Ｄ…水栓の止水構造、Ｗ…水圧。
【図１】
0003962180.tif 000002
【図２】
0003962180.tif 000003
【図３】
0003962180.tif 000004
【図４】
0003962180.tif 000005
【図５】
0003962180.tif 000006
【図６】
0003962180.tif 000007
【図７】
0003962180.tif 000008